【手続補正書】
【提出日】平成15年9月26日(2003.9.26)
【手続補正１】
【補正対象書類名】明細書
【補正対象項目名】特許請求の範囲
【補正方法】変更
【補正の内容】
【特許請求の範囲】
【請求項１】
外部から供給される第１の音高を指示する第１の楽音データを、前記第１の音高とは異なる第２の音高を指示する第２の楽音データに変換する変換手段と、
可聴帯域の上限を超える周波数の周期信号が供給され、前記第１の楽音データと前記第２の楽音データとを前記周期信号に基づき交互に出力する選択手段と、
前記選択手段により選択される第１の楽音データと第２の楽音データに基づいて楽音信号を形成する楽音信号形成手段と、
を具備してなる音源回路。
【請求項２】
外部から供給される第１の音高を指示する第１の楽音データをそのまま出力する処理と、前記第１の音高とは異なる第２の音高を指示する第２の楽音データに変換して出力する処理とを外部から供給される可聴帯域の上限を超える周波数の周期信号の周期に基づいて交互に行うデータ処理手段と、
前記データ処理手段により交互に処理される第１の楽音データと第２の楽音データに基づいて楽音信号を形成する楽音信号形成手段と、
を具備してなる音源回路。
【請求項３】
前記データ処理手段は、前記第１の楽音データの最下位ビットを周期信号に基づいて反転する排他的論理和回路であることを特徴とする請求項２に記載の音源回路。
【請求項４】
前記データ処理手段は、前記第１の楽音データに０または一定値を交互に加算する加算回路であることを特徴とする請求項２に記載の音源回路。
【請求項５】
外部から供給される第１の音高を指示する第１の楽音データを、それぞれ前記第１の音高とは異なる第２〜第ｎの音高を指示する第２〜第ｎの楽音データに変換する変換手段と、
可聴帯域の上限を超える周波数の周期信号が供給され、前記第１〜第ｎの楽音データを前記周期信号に基づき順次選択的に出力する選択手段と、
前記選択手段により順次選択的に出力される第１の楽音データ〜第ｎの楽音データに基づいて楽音信号を形成する楽音信号形成手段と、
を具備してなる音源回路。
【請求項６】
通信手段を介して受信した着信信号を受けて、着信音を発生する電話端末装置において、  楽音データが記憶されている記憶手段と、
前記着信信号を受けて、前記記憶手段内の楽音データを順次読み出し、出力する制御手段と、
前記制御手段から出力される楽音データを受け、楽音信号を形成する前記請求項１乃至請求項５のいずれかの項に記載の音源回路と、
前記音源回路の出力を受け着信音を発生する楽音発生手段と、
を具備してなる音源回路。
【請求項７】
楽音データが記憶されている記憶手段と、
保留音発生指示を受け、前記記憶手段内の楽音データを順次読み出し、出力する制御手段と、
前記制御手段から出力される楽音データを受け、楽音信号を形成する前記請求項１乃至前記請求項５のいずれかの項に記載の音源回路と、
前記音源回路の出力を受け保留音を発生する楽音発生手段と、
を具備してなる電話端末装置。
【請求項８】
前記供給される周期信号の周波数は、楽音信号のサンプリング周波数（ｆＳ）であることを特徴とする請求項１または請求項５に記載の音源回路。
【手続補正２】
【補正対象書類名】明細書
【補正対象項目名】０００５
【補正方法】変更
【補正の内容】
【０００５】
【課題を解決するための手段】
上記の目的を達成するために、請求項１に記載の発明は、外部から供給される第１の音高を指示する第１の楽音データを、前記第１の音高とは異なる第２の音高を指示する第２の楽音データに変換する変換手段と、可聴帯域の上限を超える周波数の周期信号が供給され、前記第１の楽音データと前記第２の楽音データとを前記周期信号に基づき交互に出力する選択手段と、前記選択手段により選択される第１の楽音データと第２の楽音データに基づいて楽音信号を形成する楽音信号形成手段とを設けたことを特徴とする。


【手続補正３】
【補正対象書類名】明細書
【補正対象項目名】０００６
【補正方法】変更
【補正の内容】
【０００６】
請求項２に記載の発明は、外部から供給される第１の音高を指示する第１の楽音データをそのまま出力する処理と、前記第１の音高とは異なる第２の音高を指示する第２の楽音データに変換して出力する処理とを外部から供給される可聴帯域の上限を超える周波数の周期信号の周期に基づいて交互に行うデータ処理手段と、前記データ処理手段により交互に処理される第１の楽音データと第２の楽音データに基づいて楽音信号を形成する楽音信号形成手段とを設けたことを特徴とする。
請求項３に記載の発明は、請求項２に記載の音源回路において、前記データ処理手段は、前記第１の楽音データの最下位ビットを周期信号に基づいて反転する排他的論理和回路であることを特徴とする。
請求項４に記載の発明は、請求項２に記載の音源回路において、前記データ処理手段は、前記第１の楽音データに０または一定値を交互に加算する加算回路であることを特徴とする。


【手続補正４】
【補正対象書類名】明細書
【補正対象項目名】０００７
【補正方法】変更
【補正の内容】
【０００７】
請求項５に記載の発明は、外部から供給される第１の音高を指示する第１の楽音データを、それぞれ前記第１の音高とは異なる第２〜第ｎの音高を指示する第２〜第ｎの楽音データに変換する変換手段と、可聴帯域の上限を超える周波数の周期信号が供給され、前記第１〜第ｎの楽音データを前記周期信号に基づき順次選択的に出力する選択手段と、前記選択手段により順次選択的に出力される第１の楽音データ〜第ｎの楽音データに基づいて楽音信号を形成する楽音信号形成手段とを設けたことを特徴とする。
請求項６に記載の発明は、通信手段を介して受信した着信信号を受けて、着信音を発生する電話端末装置において、  楽音データが記憶されている記憶手段と、前記着信信号を受けて、前記記憶手段内の楽音データを順次読み出し、出力する制御手段と、前記制御手段から出力される楽音データを受け、楽音信号を形成する前記請求項１乃至請求項５のいずれかの項に記載の音源回路と、前記音源回路の出力を受け着信音を発生する楽音発生手段とを具備してなる音源回路である。


【手続補正５】
【補正対象書類名】明細書
【補正対象項目名】０００８
【補正方法】変更
【補正の内容】
【０００８】
請求項７に記載の発明は、楽音データが記憶されている記憶手段と、保留音発生指示を受け、前記記憶手段内の楽音データを順次読み出し、出力する制御手段と、前記制御手段から出力される楽音データを受け、楽音信号を形成する前記請求項１乃至前記請求項５のいずれかの項に記載の音源回路と、前記音源回路の出力を受け保留音を発生する楽音発生手段とを具備してなる電話端末装置である。
請求項８に記載の発明は、請求項１または請求項５に記載の音源回路において、前記供給される周期信号の周波数は、楽音信号のサンプリング周波数（ｆＳ）であることを特徴とする。
【手続補正６】
【補正対象書類名】明細書
【補正対象項目名】００１６
【補正方法】変更
【補正の内容】
【００１６】
また、楽音データ変換回路２およびセレクタ４に代えて、図４に示すように、排他的論理和回路９を設け、その第１入力端に楽音データωｃ1のＬＳＢ（最下位ビット）を印加し、第２入力端に周期信号Ｓａを印加し、排他的論理和回路９の出力を楽音データωｃ1の最下位ビットとして再び加えてもよい。これにより、周期信号Ｓａが”１”の時楽音データωｃ1の最下位ビットが反転されて出力され、周期信号Ｓａが”０”の時は、楽音データωｃ1の最下位ビットがそのまま出力され、これにより、楽音信号にコーラス効果を付与することができる。